(57)【要約】【課題】ワイヤレス装置において、特定のネットワークサービスを好適に選択する方法を提供する。【解決手段】本発明のワイヤレス装置においてネットワークリストを管理する方法において、ワイヤレス装置は、少なくとも一つのネットワークを発見するために、ネットワーク環境においてスキャンする（８０２）ように動作可能である。その発見されたネットワークの識別情報から決定される地理的領域情報に依存して、ワイヤレス装置におけるロジック構造は、ワイヤレス装置に結合される着脱可能な記憶装置モジュール（ＲＳＭ）からの地理的領域情報に関連するそれらのネットワークリストデータエントリをダウンロードする（８０６）ように動作可能である。【選択図】図８
2007013987.tif 000002
【特許請求の範囲】
【請求項１】
ワイヤレス装置（１０２）においてネットワークリストを管理する方法であって、
スキャニング（８０２）を介して該ワイヤレス装置（１０２）によって発見された（８０４）少なくとも一つのネットワークの識別情報に基づいて、地理的領域情報を決定すること（８０４、８０６）と、
該ワイヤレス装置（１０２）に結合されるように動作可能である着脱可能な記憶装置モジュール（ＲＳＭ）（２１４）から、該地理的領域情報に関連するネットワークリストデータエントリをダウンロードすること（８０６）であって、該ネットワークリストデータエントリは、該ワイヤレス装置（１０２）によるネットワーク選択を容易にする、ことと
を包含する、方法。
【請求項２】
前記スキャニング（８０２）が、初期スキャン手順およびバックグラウンドスキャン手順のうちの一つを介して実行される、請求項１に記載のワイヤレス装置（１０２）においてネットワークリストを管理する方法。
【請求項３】
前記ＲＳＭ（２１４）からダウンロードされる前記ネットワークリストデータエントリが、一つ以上のオペレータ選好の無線アクセスネットワーク（ＲＡＮ）、一つ以上のオペレータ選好のコアネットワーク（ＣＮ）、一つ以上のユーザ選好の無線アクセスネットワーク（ＲＡＮ）、一つ以上のユーザ選好のコアネットワーク（ＣＮ）、一つ以上のオペレータ・バーの無線アクセスネットワーク（ＲＡＮ）、一つ以上のオペレータ・バーのコアネットワーク（ＣＮ）、一つ以上のユーザ・バー無線アクセスネットワーク（ＲＡＮ）、および一つ以上のユーザ・バーのコアネットワーク（ＣＮ）から選択された少なくとも一つのネットワークを含む、請求項１または２に記載のワイヤレス装置（１０２）においてネットワークリストを管理する方法。
【請求項４】
前記ＲＳＭ（２１４）からダウンロードされる前記ネットワークリストデータエントリが、ユーザ選好のネットワーク、ユーザ・バーのネットワーク、オペレータ選好のネットワーク、およびオペレータ・バーのネットワークのうちの少なくとも一つに関連するＰＬＭＮネットワークＩＤを含む、請求項１または２に記載のワイヤレス装置（１０２）においてネットワークリストを管理する方法。
【請求項５】
追加的な地理的領域コードが発見されるかどうかを決定すること（８１０）と、
発見された場合、前記ワイヤレス装置（１０２）による使用のために、前記ＲＳＭ（２１４）から、該追加的な地理的領域コードに個々に対応するネットワークリストをダウンロードすること（８０６）と
をさらに包含する、請求項１から請求項４のいずれか一項に記載のワイヤレス装置（１０２）においてネットワークリストを管理する方法。
【請求項６】
ワイヤレス装置（１０２）においてネットワークリストを管理するシステムであって、
該ワイヤレス装置（１０２）によって発見された（８０４）少なくとも一つのネットワークの識別情報に基づいて、地理的領域情報を決定する（８０４、８０６）手段と、
該ワイヤレス装置（１０２）に結合されるように動作可能である着脱可能な記憶装置モジュール（ＲＳＭ）（２１４）から、該地理的領域情報に関連するネットワークリストデータエントリをダウンロードする（８０６）手段であって、該ネットワークリストデータエントリは、該ワイヤレス装置（１０２）によるネットワーク選択を容易にする、ダウンロードする手段と
を備える、システム。
【請求項７】
前記スキャニング（８０２）が初期スキャン手順およびバックグラウンドスキャン手順のうちの一つを介して実行される、請求項６に記載のワイヤレス装置（１０２）においてネットワークリストを管理するシステム。
【請求項８】
前記ＲＳＭ（２１４）からダウンロードされる前記ネットワークリストデータエントリが、一つ以上のオペレータ選好の無線アクセスネットワーク（ＲＡＮ）、一つ以上のオペレータ選好のコアネットワーク（ＣＮ）、一つ以上のユーザ選好の無線アクセスネットワーク（ＲＡＮ）、一つ以上のユーザ選好のコアネットワーク（ＣＮ）、一つ以上のオペレータ・バーの無線アクセスネットワーク（ＲＡＮ）、一つ以上のオペレータ・バーのコアネットワーク（ＣＮ）、一つ以上のユーザ・バー無線アクセスネットワーク（ＲＡＮ）、および一つ以上のユーザ・バーのコアネットワーク（ＣＮ）から選択された少なくとも一つのネットワークを含む、請求項６または７に記載のワイヤレス装置（１０２）においてネットワークリストを管理するシステム。
【請求項９】
前記ＲＳＭ（２１４）からダウンロードされる前記ネットワークリストデータエントリが、ユーザ選好のネットワーク、ユーザ・バーのネットワーク、オペレータ選好のネットワーク、およびオペレータ・バーのネットワークのうちの少なくとも一つに関連するＰＬＭＮネットワークＩＤを含む、請求項６または８に記載のワイヤレス装置（１０２）においてネットワークリストを管理するシステム。
【請求項１０】
追加的な地理的領域コードが発見されるかどうかを決定する（８１０）手段と、
追加的な地理的領域コードが発見されることを決定することに応じて動作可能であり、前記ワイヤレス装置（１０２）による使用のために、前記ＲＳＭから、該追加的な地理的領域コードに個々に対応するネットワークリストをダウンロードする（８０６）手段と
をさらに備える、請求項６から請求項９のいずれか一項に記載のワイヤレス装置（１０２）においてネットワークリストを管理するシステム。
【請求項１１】
着脱可能な記憶装置モジュール（ＲＳＭ）（２１４）からのネットワークリスト情報のダウンロードをカスタマイズするように動作可能であるワイヤレス装置（１０００）であって、
該ワイヤレス装置（１０００）によって発見された少なくとも一つのネットワークの識別情報に基づいて、地理的領域情報を決定するロジック構造（１０４０）と、
該ＲＳＭ（２１４）から該地理的領域情報に関連するそれらのネットワークリストデータエントリのみをフィルタリングするロジック構造（１０３８、１０４５）であって、該ネットワークリストデータエントリは、該ワイヤレス装置（１０００）によるネットワーク選択を容易にする、ロジック構造（１０３８、１０４５）と
を備える、ワイヤレス装置（１０００）。
【請求項１２】
ワイヤレス装置（１０２）においてネットワークリストを管理する方法であって、
該ワイヤレス装置（１０２）に結合されるように動作可能である着脱可能な記憶装置モジュール（ＲＳＭ）（２１４）上に、複数のネットワークリストを用意すること（９０２）と、
該ＲＳＭ（２１４）上に、リスト管理アプリケーションを用意すること（９０４）と、
該ワイヤレス装置（１０２）に関連する地理的領域情報を該ＲＳＭに提供した後、該地理的領域情報に依存して、該リスト管理アプリケーションによって、該ＲＳＭ上の該複数のネットワークリストを修正すること（９０８）と
を包含する、方法。
【請求項１３】
前記複数のネットワークリストを修正すること（９０８）が、前記地理的領域情報によって識別された地理的領域に関連するネットワークリストを保持することを含む、請求項１２に記載のワイヤレス装置（１０２）においてネットワークリストを管理する方法。
【請求項１４】
前記複数のネットワークリストを修正すること（９０８）が、前記地理的領域情報によって識別された地理的領域に関連しないネットワークリストを削除することを含む、請求項１２または１３に記載のワイヤレス装置（１０２）においてネットワークリストを管理する方法。
【請求項１５】
前記地理的領域情報が、前記ワイヤレス装置（１０２）によるスキャニング（９０６）を介して得られたネットワーク識別情報から決定される、請求項１２から請求項１４のいずれか一項に記載のワイヤレス装置（１０２）においてネットワークリストを管理する方法。
【請求項１６】
ワイヤレス装置（１０２）に結合されるように動作可能である着脱可能記憶装置モジュール（ＲＳＭ）（２１４）であって、
該ワイヤレス装置（１０２）にダウンロードされるように動作可能である、複数のネットワークリストを有する、少なくとも一つのデータベース構造（３００、４００、５００、６００）と、
該ワイヤレス装置（１０２）に関連する地理的領域情報を該ＲＳＭ（２１４）に提供することに応じて、該複数のネットワークリストを修正する（９０８）ように動作可能であるリスト管理アプリケーションと
を備える、着脱可能な記憶装置モジュール（ＲＳＭ）（２１４）。
【請求項１７】
前記リスト管理アプリケーションが、前記地理的領域情報によって識別される地理的領域に関連するネットワークリストを保持するように動作可能である、請求項１６に記載のワイヤレス装置（１０２）に結合されるように動作可能であるＲＳＭ（２１４）。
【請求項１８】
前記リスト管理アプリケーションが、前記地理的領域情報によって識別される地理的領域に関連しないネットワークリストを削除するように動作可能である、請求項１６に記載のワイヤレス装置（１０２）に結合されるように動作可能であるＲＳＭ（２１４）。
【発明の詳細な説明】
【技術分野】
【０００１】
（関連出願の参照）
本出願は、以下の共有に係る同時係属の米国特許出願、（ｉ）「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ（ＮＡＢ）」、Ａｄｒｉａｎ  Ｂｕｃｋｌｅｙ、  Ｐａｕｌ  Ｃａｒｐｅｎｔｅｒ、  Ｎｉｃｈｏｌａｓ  Ｐ．  Ａｌｆａｎｏ、  およびＡｎｄｒｅｗ  Ａｌｌｅｎ（代理人整理番号第１４００−１０３６ＵＳ）らの名において、２００５年４月２８日に出願された、出願番号第１１／１１６，４７０号、（ｉｉ）「ＮＥＴＷＯＲＫ  ＳＥＬＥＣＴＩＯＮ  ＳＣＨＥＭＥ  ＵＳＩＮＧ  Ａ  ＲＯＡＭＩＮＧ  ＢＲＯＫＥＲ（ＲＢ）」、Ａｄｒｉａｎ  Ｂｕｃｋｌｅｙ、  Ｐａｕｌ  Ｃａｒｐｅｎｔｅｒ、  Ｎｉｃｈｏｌａｓ  Ｐ．  Ａｌｆａｎｏ、  およびＡｎｄｒｅｗ  Ａｌｌｅｎ（代理人整理番号第１４００−１０３７ＵＳ）らの名において、２００５年４月２８日に出願された、出願番号第１１／１１６，４６１号において開示された主題に関し、それぞれは、その全体においてここに援用される。
【０００２】
本出願開示は一般に、通信ネットワークに関する。より詳細には、および任意の限定の目的ではなく、本特許出願は、ワイヤレスユーザ装備（ＵＥ）装置における、ネットワークリストを管理するためのシステムおよび方法に関する。
【背景技術】
【０００３】
ワイヤレス通信技術において、ワイヤレスモバイル装備（ＭＥ）装置に関連する着脱可能なモジュールを使用することは良く知られている。そのような着脱可能なモジュールは、一般的に、必要な場合にＭＥ装置にダウンロードされ得る多数のネットワークリストを提供する。現在、異なるＭＥ装置は、異なるリストサイズをサポートし、それにより、着脱可能なモジュール上のネットワークリストのコンテンツを配置するオペレータに対して様々な問題を生じさせる。特に、個々のＭＥ装置がサポートできるものと、十分に対応する（ｆｕｌｌｙ−ｐｒｏｖｉｓｉｏｎｅｄ）モジュールのリストサイズとの間の不一致は、特定のネットワークサービスを選択することにおけるＭＥ装置の動作を導こうとする場合、問題を生じさせ得る。
【発明の開示】
【課題を解決するための手段】
【０００４】
一実施形態において、本開示は、ワイヤレス装置においてネットワークリストを管理する方法に関し、スキャニングを介してワイヤレス装置によって発見された少なくとも一つのネットワークの識別情報に基づいて、地理的領域情報を決定することと、少なくとも一つのネットワーク識別情報から決定される地理的領域情報に依存して、ワイヤレス装置に結合されるように動作可能である着脱可能な記憶装置モジュール（ＲＳＭ）から、地理的領域情報に関連するネットワークリストデータエントリをダウンロードすることであって、ネットワークリストデータエントリはワイヤレス装置によるネットワーク選択を容易にする、ことの動作の一つ以上を含む。
【０００５】
別の実施形態において、本開示は、スキャニングを介して、ワイヤレス装置においてネットワークリストを管理するシステムに関し、ワイヤレス装置においてそれらのネットワークリストを管理する方法であって、スキャニングを介してワイヤレス装置によって発見された少なくとも一つのネットワークの識別情報に基づいて、地理的領域情報を決定する手段と、ワイヤレス装置に結合されるように動作可能であるＲＳＭから、地理的領域情報に関連するネットワークリストデータエントリをダウンロードする手段であって、ネットワークリストデータエントリはワイヤレス装置によるネットワーク選択を容易にする、ことの要素の一つ以上を含む。
【０００６】
さらなる実施形態において、本開示は、ＲＳＭカードからのネットワークリスト情報のダウンロードをカスタマイズするように動作可能であるワイヤレス装置に関し、スキャニングを介して、ワイヤレス装置によって発見された少なくとも一つのネットワークの識別情報に基づいて、地理的領域情報を決定するロジック構造と、少なくとも一つのネットワーク識別情報に基づいて地理的領域情報を決定するロジック構造と、ＲＳＭから地理的領域情報に関連するそれらのネットワークリストデータエントリのみをフィルタリングするロジック構造であって、ネットワークリストデータエントリはワイヤレス装置によるネットワーク選択を容易にする、ロジック構造の要素の一つ以上を備える。
【０００７】
さらなる別の実施形態において、ワイヤレス装置においてネットワークリストを管理する方法であって、ワイヤレス装置に結合されるように動作可能であるＲＳＭ上に、複数のネットワークリストを規定または用意することと、ＲＳＭ上に、リスト管理アプリケーションを用意することと、ワイヤレス装置に関連する地理的領域情報をＲＳＭに提供した後、地理的領域情報に依存して、リスト管理アプリケーションによって、ＲＳＭ上の複数のネットワークリストを修正することの動作の一つ以上を包含する。関連する実施形態において、本開示は、ワイヤレス装置に結合されるように動作可能であるＲＳＭであって、ワイヤレス装置にダウンロードされるように動作可能である、複数のネットワークリストを有する、少なくとも一つのデータベース構造と、ワイヤレス装置に関連する地理的領域情報をＲＳＭに提供することに応じて、複数のネットワークリストを修正するように動作可能であるリスト管理アプリケーションとを備える。
【０００８】
本発明は、さらに以下の手段を提供する。
【０００９】
（項目１）  
ワイヤレス装置（１０２）においてネットワークリストを管理する方法であって、
スキャニング（８０２）を介して該ワイヤレス装置（１０２）によって発見された（８０４）少なくとも一つのネットワークの識別情報に基づいて、地理的領域情報を決定すること（８０４、８０６）と、
該ワイヤレス装置（１０２）に結合されるように動作可能である着脱可能な記憶装置モジュール（ＲＳＭ）（２１４）から、該地理的領域情報に関連するネットワークリストデータエントリをダウンロードすること（８０６）であって、該ネットワークリストデータエントリは、該ワイヤレス装置（１０２）によるネットワーク選択を容易にする、ことと
を包含する、方法。
【００１０】
（項目２）  
上記スキャニング（８０２）が、初期スキャン手順およびバックグラウンドスキャン手順のうちの一つを介して実行される、項目１に記載のワイヤレス装置（１０２）においてネットワークリストを管理する方法。
【００１１】
（項目３）  
上記ＲＳＭ（２１４）からダウンロードされる上記ネットワークリストデータエントリが、一つ以上のオペレータ選好の無線アクセスネットワーク（ＲＡＮ）、一つ以上のオペレータ選好のコアネットワーク（ＣＮ）、一つ以上のユーザ選好の無線アクセスネットワーク（ＲＡＮ）、一つ以上のユーザ選好のコアネットワーク（ＣＮ）、一つ以上のオペレータ・バーの無線アクセスネットワーク（ＲＡＮ）、一つ以上のオペレータ・バーのコアネットワーク（ＣＮ）、一つ以上のユーザ・バー無線アクセスネットワーク（ＲＡＮ）、および一つ以上のユーザ・バーのコアネットワーク（ＣＮ）から選択された少なくとも一つのネットワークを含む、項目１または２に記載のワイヤレス装置（１０２）においてネットワークリストを管理する方法。
【００１２】
（項目４）  
上記ＲＳＭ（２１４）からダウンロードされる上記ネットワークリストデータエントリが、ユーザ選好のネットワーク、ユーザ・バーのネットワーク、オペレータ選好のネットワーク、およびオペレータ・バーのネットワークのうちの少なくとも一つに関連するＰＬＭＮネットワークＩＤを含む、項目１または２に記載のワイヤレス装置（１０２）においてネットワークリストを管理する方法。
【００１３】
（項目５）  
追加的な地理的領域コードが発見されるかどうかを決定すること（８１０）と、
発見された場合、上記ワイヤレス装置（１０２）による使用のために、上記ＲＳＭ（２１４）から、該追加的な地理的領域コードに個々に対応するネットワークリストをダウンロードすること（８０６）と
をさらに包含する、項目１から項目４のいずれか一項に記載のワイヤレス装置（１０２）においてネットワークリストを管理する方法。
【００１４】
（項目６）  
ワイヤレス装置（１０２）においてネットワークリストを管理するシステムであって、
該ワイヤレス装置（１０２）によって発見された（８０４）少なくとも一つのネットワークの識別情報に基づいて、地理的領域情報を決定する（８０４、８０６）手段と、
該ワイヤレス装置（１０２）に結合されるように動作可能である着脱可能な記憶装置モジュール（ＲＳＭ）（２１４）から、該地理的領域情報に関連するネットワークリストデータエントリをダウンロードする（８０６）手段であって、該ネットワークリストデータエントリは、該ワイヤレス装置（１０２）によるネットワーク選択を容易にする、ダウンロードする手段と
を備える、システム。
【００１５】
（項目７）  
上記スキャニング（８０２）が初期スキャン手順およびバックグラウンドスキャン手順のうちの一つを介して実行される、項目６に記載のワイヤレス装置（１０２）においてネットワークリストを管理するシステム。
【００１６】
（項目８）  
上記ＲＳＭ（２１４）からダウンロードされる上記ネットワークリストデータエントリが、一つ以上のオペレータ選好の無線アクセスネットワーク（ＲＡＮ）、一つ以上のオペレータ選好のコアネットワーク（ＣＮ）、一つ以上のユーザ選好の無線アクセスネットワーク（ＲＡＮ）、一つ以上のユーザ選好のコアネットワーク（ＣＮ）、一つ以上のオペレータ・バーの無線アクセスネットワーク（ＲＡＮ）、一つ以上のオペレータ・バーのコアネットワーク（ＣＮ）、一つ以上のユーザ・バー無線アクセスネットワーク（ＲＡＮ）、および一つ以上のユーザ・バーのコアネットワーク（ＣＮ）から選択された少なくとも一つのネットワークを含む、項目６または７に記載のワイヤレス装置（１０２）においてネットワークリストを管理するシステム。
【００１７】
（項目９）  
上記ＲＳＭ（２１４）からダウンロードされる上記ネットワークリストデータエントリが、ユーザ選好のネットワーク、ユーザ・バーのネットワーク、オペレータ選好のネットワーク、およびオペレータ・バーのネットワークのうちの少なくとも一つに関連するＰＬＭＮネットワークＩＤを含む、項目６または８に記載のワイヤレス装置（１０２）においてネットワークリストを管理するシステム。
【００１８】
（項目１０）  
追加的な地理的領域コードが発見されるかどうかを決定する（８１０）手段と、
追加的な地理的領域コードが発見されることを決定することに応じて動作可能であり、上記ワイヤレス装置（１０２）による使用のために、上記ＲＳＭから、該追加的な地理的領域コードに個々に対応するネットワークリストをダウンロードする（８０６）手段と
をさらに備える、項目６から項目９のいずれか一項に記載のワイヤレス装置（１０２）においてネットワークリストを管理するシステム。
【００１９】
（項目１１）  
着脱可能な記憶装置モジュール（ＲＳＭ）（２１４）からのネットワークリスト情報のダウンロードをカスタマイズするように動作可能であるワイヤレス装置（１０００）であって、
該ワイヤレス装置（１０００）によって発見された少なくとも一つのネットワークの識別情報に基づいて、地理的領域情報を決定するロジック構造（１０４０）と、
該ＲＳＭ（２１４）から該地理的領域情報に関連するそれらのネットワークリストデータエントリのみをフィルタリングするロジック構造（１０３８、１０４５）であって、該ネットワークリストデータエントリは、該ワイヤレス装置（１０００）によるネットワーク選択を容易にする、ロジック構造（１０３８、１０４５）と
を備える、ワイヤレス装置（１０００）。
【００２０】
（項目１２）  
ワイヤレス装置（１０２）においてネットワークリストを管理する方法であって、
該ワイヤレス装置（１０２）に結合されるように動作可能である着脱可能な記憶装置モジュール（ＲＳＭ）（２１４）上に、複数のネットワークリストを用意すること（９０２）と、
該ＲＳＭ（２１４）上に、リスト管理アプリケーションを用意すること（９０４）と、
該ワイヤレス装置（１０２）に関連する地理的領域情報を該ＲＳＭに提供した後、該地理的領域情報に依存して、該リスト管理アプリケーションによって、該ＲＳＭ上の該複数のネットワークリストを修正すること（９０８）と
を包含する、方法。
【００２１】
（項目１３）  
上記複数のネットワークリストを修正すること（９０８）が、上記地理的領域情報によって識別された地理的領域に関連するネットワークリストを保持することを含む、項目１２に記載のワイヤレス装置（１０２）においてネットワークリストを管理する方法。
【００２２】
（項目１４）  
上記複数のネットワークリストを修正すること（９０８）が、上記地理的領域情報によって識別された地理的領域に関連しないネットワークリストを削除することを含む、項目１２または１３に記載のワイヤレス装置（１０２）においてネットワークリストを管理する方法。
【００２３】
（項目１５）  
上記地理的領域情報が、上記ワイヤレス装置（１０２）によるスキャニング（９０６）を介して得られたネットワーク識別情報から決定される、項目１２から項目１４のいずれか一項に記載のワイヤレス装置（１０２）においてネットワークリストを管理する方法。
【００２４】
（項目１６）  
ワイヤレス装置（１０２）に結合されるように動作可能である着脱可能記憶装置モジュール（ＲＳＭ）（２１４）であって、
該ワイヤレス装置（１０２）にダウンロードされるように動作可能である、複数のネットワークリストを有する、少なくとも一つのデータベース構造（３００、４００、５００、６００）と、
該ワイヤレス装置（１０２）に関連する地理的領域情報を該ＲＳＭ（２１４）に提供することに応じて、該複数のネットワークリストを修正する（９０８）ように動作可能であるリスト管理アプリケーションと
を備える、着脱可能な記憶装置モジュール（ＲＳＭ）（２１４）。
【００２５】
（項目１７）  
上記リスト管理アプリケーションが、上記地理的領域情報によって識別される地理的領域に関連するネットワークリストを保持するように動作可能である、項目１６に記載のワイヤレス装置（１０２）に結合されるように動作可能であるＲＳＭ（２１４）。
【００２６】
（項目１８）  
上記リスト管理アプリケーションが、上記地理的領域情報によって識別される地理的領域に関連しないネットワークリストを削除するように動作可能である、項目１６に記載のワイヤレス装置（１０２）に結合されるように動作可能であるＲＳＭ（２１４）。
【００２７】
（摘要）
ワイヤレス装置（１０２）においてネットワークリストを管理するシステムおよび方法。一つの例示的な実施形態において、ワイヤレス装置（１０２）は、少なくとも一つのネットワークを発見するために、ネットワーク環境（１００、２００）においてスキャンするように動作可能である。その発見されたネットワークの識別情報から決定される地理的領域情報に依存して、ワイヤレス装置（１０２）におけるロジック構造（１０３８、１０４５）は、ワイヤレス装置（１０２）に結合される着脱可能な記憶装置モジュール（ＲＳＭ）（２１４）からの地理的領域情報に関連するそれらのネットワークリストデータエントリをダウンロードするように動作可能である。
【発明を実施するための最良の形態】
【００２８】
本開示のシステムおよび方法はここで、実施形態が最良になされ得、使用され得る方法の様々な例に関連して記載される。同様の参照番号は、類似または対応する部分を示すために、本記載および図面のいくつかの概観を通して使用され、様々な要素は必ずしも縮尺通りではない。図面を参照して、および、より詳細には、図１を参照して、そこに表されているのは、例示的な、一般化されたネットワーク環境１００である。そこでは、本開示の一実施形態が実施され得る。一般化されたワイヤレスユーザ装備（ＵＥ）またはモバイル装備（ＭＥ）装置１０２は、任意のポータブルコンピュータ（例えば、ラップトップ、パームトップ、または携帯用コンピュータ装置）、または、モバイル通信装置（例えば、セル式電話、または、メッセージを受信および送信でき、ウェブを閲覧することなどが可能である、データ対応の携帯用装置など）、あるいは、改良された携帯情報端末（ＰＤＡ）装置、またはｅメール、ビデオメール、インターネットアクセス、企業データアクセス、メッセージング、カレンダー操作およびスケジューリング、情報管理などを可能にする一体型情報電気機器（それらは好ましくは、一つ以上の動作モード、および、多数の周波数帯域および／または無線アクセス技術（ＲＡＴ）において動作可能である）を含み得る。例えば、ＵＥ／ＭＥ装置１０２は、セル式電話帯域周波数およびワイヤレスローカルエリアネットワーク（ＷＬＡＮ）帯域において動作し得る。さらに、ＵＥ装置がワイヤレスに動作し得る他の帯域は、Ｗｉ−Ｍａｘ帯域または一つ以上の衛星帯域を含み得る。従って、本開示の目的に対して、用語「ＵＥ装置」または「ワイヤレス装置」がモバイル装備（ＭＥ）装置（任意の着脱可能な記憶装置モジュール、または、ユニバーサル加入者識別モジュール（ＵＳＩＭ）カードなどのＲＳＭ、着脱可能ユーザ識別モジュール（ＲＵＩＭ）カード、加入者識別モジュール（ＳＩＭ）カード、またはコンパクトフラッシュ（登録商標）カードなどを用いて、または用いずに）、および他のポータブルワイヤレス情報電気機器（また、ＲＳＭを用いて、または用いずに）を含み得る。
【００２９】
例示を目的として、ネットワーク環境１００は、ＵＥ装置１０２へサービスを提供することができる通信スペースの二つの広範なカテゴリとして表され、そこにおいて、ネットワーク広告情報の獲得が、本明細書において説明される技術に従い、達成され得る。広域セル式ネットワーク（ＷＡＣＮ）スペース１０４において、パケット交換データサービスを含み得、または含み得ないセル式電話サービスを提供するように動作可能である、任意の数のパブリック陸上移動通信網（ＰＬＭＮ）が存在し得る。範囲領域、およびユーザがローミングするかどうかに依存して、ＷＡＣＮスペース１０４は、多数のホームネットワーク１１０（すなわち、ホームＰＬＭＮまたはＨＰＬＭＮ、あるいは同等のＨＰＬＭＮまたはＥＨＰＬＭＮ）、ビジテッド（ｖｉｓｉｔｅｄ）ネットワーク（つまり、ＶＰＬＭＮ）１１２を含み得、それぞれは、ホーム位置登録（ＨＬＲ）ノード１１５、モバイル交換センター（ＭＳＣ）ノード１１６、などの、適切なインフラストラクチャを有する。ＷＡＣＮスペース１０４はまた、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワークを含み得、グローバル移動体通信システム（ＧＳＭ）ベースのキャリアネットワークの携帯電話用インフラストラクチャを用いたモバイル機器のパケット無線アクセスを提供し、Ｓｅｒｖｉｎｇ  ＧＰＲＳサポートノード（ＳＧＳＮ）１１４はそこで例示される。付け加えて、普及された方法によって、ＷＡＣＮスペース１０４のＰＬＭＮは、拡張型高速データレート展開（ＥＤＧＥ）（Ｅｎｈａｎｃｅｄ  Ｄａｔａ  Ｒａｔｅｓ  ｆｏｒ  Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｅｖｏｌｕｔｉｏｎ）ネットワーク、Ｉｎｔｅｇｒａｔｅｄ  Ｄｉｇｉｔａｌ  Ｅｎｈａｎｃｅｄ  Ｎｅｔｗｏｒｋ（ＩＤＥＮ）、符号分割多重接続（ＣＤＭＡ）ネットワーク、時分割多重接続（ＴＤＭＡ）ネットワーク、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、または第３世代パートナーシッププロジェクト規格対応ネットワーク（３ＧＰＰ：３ｒｄ  Ｇｅｎｅｒａｔｉｏｎ  Ｐａｒｔｎｅｒｓｈｉｐ  Ｐｒｏｊｅｃｔ）（例えば、３ＧＰＰまたは３ＧＰＰ２）からなる群から選択された、無線アクセスおよびコアネットワークを含み得、それら全ては、既知の周波数帯域およびプロトコルとともに動作する。
【００３０】
さらに、ＵＥ装置１０２は、ＷＡＣＮスペース１０４に接続されるアクセスネットワーク（ＡＮ）スペース１０６からのサービスを得るように動作可能である。一実施において、ＡＮスペース１０６は、一つ以上のジェネリックアクセスネットワーク（ＧＡＮ）１１８、および、無線ＬＡＮ（ＷＬＡＮ）配置１２０の任意のタイプを含み、それらの両方は、ＵＥ装置１０２と、ブロードバンドインターネットプロトコル（ＩＰ）ベースネットワークを使用するＰＬＭＮコアネットワークとの間のアクセスサービスを提供するように動作可能である任意の無線ＡＮとして普及され得る。ＷＬＡＮ配置１２０は、アクセスポイント（ＡＰ）または「ホットスポット（ｈｏｔ  ｓｐｏｔ）」を介して、短距離無線接続をＵＥ装置１０２に提供し、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格などの、様々な規格を用いて実施され得る。
【００３１】
一実施形態において、ＷＡＣＮとＡＮスペースとの間の接点は、所定の規格に従って実施され得る。例えば、ＧＡＮ１１８は、３ＧＰＰ  ＴＲ４３．９０１、３ＧＰＰ  ＴＳ４３．３１８、および３ＧＰＰ  ＴＳ  ４４．３１８ドキュメント、ならびに関連するドキュメンテーションにおいて説明される手順を使用する、一つ以上のＰＬＭＮとインターフェース接続し得る。同様に、ＷＬＡＮ１２０は、３ＧＰＰ  ＴＳ２２．２３４、３ＧＰＰ  ＴＳ２３．２３４、および３ＧＰＰ  ＴＳ２４．２３４ドキュメント、ならびに関連するドキュメンテーションにおいて説明される手順を使用する、少なくとも一つのＰＬＭＮコアと接し得、それゆえ、Ｉｎｔｅｒｗｏｒｋｉｎｇ  ＷＬＡＮ（Ｉ−ＷＬＡＮ）配置と呼ばれ得る。
【００３２】
前述に基づいて、ネットワーク環境１００のサービスインフラストラクチャは、一つ以上の無線アクセスネットワーク（ＲＡＮ）（それは、携帯電話帯域技術とＷＬＡＮ技術を含み得る）、一つ以上のコアネットワーク（ＣＮ）、および一つ以上のサービスネットワーク（ＳＮ）である、三つの広いセグメントに一般化され得る。ネットワーク所有の配置およびサービスレベルの取り決めに依存して、それぞれのＲＡＮは、一つ以上のＣＮをサポートし得、次に、それらのそれぞれが一つ以上のＳＮをサポートし得る。多数のオーナーに亘るインフラストラクチャ装備の組み合わせは、時々、Ｍｏｂｉｌｅ  Ｖｉｒｔｕａｌ  Ｎｅｔｗｏｒｋ  Ｏｐｅｒａｔｏｒｓ（ＭＶＮＯ）を作成するために使用される。一部の実施形態において、本特許出願開示の教示は、ＰＬＭＮに関するＭＶＮＯに等しく適用可能である。それぞれのＲＡＮ、ＣＮ、およびＳＮはそれ自体のネットワーク識別子（ＩＤコード）を提供され得るゆえ、多数のＲＡＮ−ＣＮ−ＳＮの組み合わせが、ネットワーク環境１００において利用可能である。以下で検討されるように、様々なネットワークリスト（例えば、ユーザまたはオペレータ優先のネットワーク、ユーザまたはオペレータ禁止のネットワーク、ネットワーク性能のリスト、周波数チャンネルなど）は、ＵＥ装置と動作可能であるＲＳＭ（すなわち、ＵＳＩＭカード、ＲＵＩＭカード、ＳＩＭカード、またはコンパクトフラッシュ（登録商標）メディアなどから選択された）の一部として提供され得、例示的なネットワーク環境におけるネットワーク選択を容易にするためにカスタマイズされた方法において、ＵＥ装置にダウンロードされ得る。
【００３３】
本開示の教示を定式化するために、ここで図２が参照され、ネットワーク環境２００の例示的な実施形態において、図１に図示された、一般化されたネットワーク環境１００のさらに具体的なサブセットが示される。図に示されるように、ワイヤレスＵＥ装置１０２は、ＲＡＮセグメント２０２からネットワーク広告情報を獲得するために動作可能なように配置され、ＲＡＮセグメント２０２は、次に、ＳＮセグメント２０６に結合されるＣＮセグメント２０４に結合される。三つのＲＡＮである、ＲＡＮ−１（２０８−１）、ＲＡＮ−２（２０８−２）、およびＲＡＮ−３（２０８−３）が図示され、それらは個々に、ネットワークコードであるＭＡＮＣ１、ＭＡＮＣ２、およびＭＡＮＣ３を用いて識別される。ＣＮセグメント２０４はまた、ＣＮ−１（２１０−１）（ＭＣＮＣ１のＩＤコードを有する）、ＣＮ−２（２１０−２）（ＭＣＮＣ２のＩＤコードを有する）、およびＣＮ−３（２１０−３）（ＭＣＮＣ３のＩＤコードを有する）の三つのＣＮが図示される。同様に、ＳＮセグメント２０６は、ＳＮ−１（２１２−１）（ＭＳＮＣ１のＩＤコードを有する）、ＳＮ−２（２１２−２）（ＭＳＮＣ２のＩＤコードを有する）、およびＳＮ−３（２１２−３）（ＭＳＮＣ３のＩＤコードを有する）のＳＮが図示される。
【００３４】
例として、ＲＡＮ−１（２０８−１）は、二つのＣＮである、ＣＮ−１（２１０−１）およびＣＮ−２（２１０−２）への接続をサポートするように動作可能である。同様な方法において、ＲＡＮ−２（２０８−２）は三つのＣＮをサポートし、ＲＡＮ−３（２０８−３）は一つのＣＮのみをサポートする。それぞれのＣＮは、一つ以上のＳＮ（例えば、ＣＮ−３（２１０−３）はＳＮ−２（２１２−２）およびＳＮ−３（２１２−３）に接続する）への接続をサポートする。ＲＡＮ／ＣＮ／ＳＮセグメントの相互接続を与えられ、識別コードのいくつかの組み合わせは、ワイヤレスＵＥ装置１０２が潜在的に発見し得、および選択し得る様々なＲＡＮ−ＣＮ−ＳＮの組み合わせを独自に識別するために得られ得る。例えば、適切なモバイル国別コード（ＭＣＣ）が含まれつつ、ＲＡＮ−１（２０８−１）に関連する三つのＩＤコードの組み合わせは、
［ＭＣＣ．ＭＡＮＣ１．ＭＣＮＣ１．ＭＳＮＣ１］；
［ＭＣＣ．ＭＡＮＣ１．ＭＣＮＣ１．ＭＳＮＣ２］；および
［ＭＣＣ．ＭＡＮＣ１．ＭＣＮＣ２．ＭＳＮＣ２］である。
【００３５】
同様に、ＲＡＮ−２  ２０８−２に関連するＩＤコードの組み合わせは、
［ＭＣＣ．ＭＡＮＣ２．ＭＣＮＣ１．ＭＳＮＣ１］；
［ＭＣＣ．ＭＡＮＣ２．ＭＣＮＣ１．ＭＳＮＣ２］；
［ＭＣＣ．ＭＡＮＣ２．ＭＣＮＣ２．ＭＳＮＣ２］；
［ＭＣＣ．ＭＡＮＣ２．ＭＣＮＣ３．ＭＳＮＣ２］；および
［ＭＣＣ．ＭＡＮＣ２．ＭＣＮＣ３．ＭＳＮＣ３］である。
【００３６】
ＲＡＮ−３（２０８−３）に関連する二つのＩＤコードの組み合わせは、［ＭＣＣ．ＭＡＮＣ３．ＭＣＮＣ３．ＭＳＮＣ２］および［ＭＣＣ．ＭＡＮＣ３．ＭＣＮＣ３．ＭＳＮＣ２］である。２００５年４月２８日に出願され、出願番号第１１／１１６，４７０号（代理人整理番号第１４００−１０３６ＵＳ）、および上述で参照され、「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ（ＮＡＢ）」と題された、関連する米国特許出願において詳細に記載されるように、ＵＥ装置は、初期スキャン手順（すなわち、装置が任意のネットワークに登録されていない場合）か、または、バックグラウンドスキャン手順（すなわち、装置がネットワークに登録されている場合）かのいずれかにおいて、適用可能なネットワークＩＤコード情報を発見することができる。
【００３７】
図１に関連して、前記された例示的なネットワーク環境１００の多様性を考慮すると、スキャンは、ＧＥＲＡＮ（ＥＤＧＥなしの）、ＧＥＲＡＮ（ＥＤＧＥありの）、ＩＤＥＮネットワーク、ＣＤＭＡ／ＣＤＭＡ２０００／ＴＤＭＡネットワーク、ＵＭＴＳネットワークなどの技術の少なくとも一つが動作している周波数帯において実施され得ることが認識される。付け加えて、ＷＬＡＮアクセス性能が含まれるところでは、スキャンは、ＩＥＥＥ８０２．１１ｂ規格、ＩＥＥＥ８０２．１１ａ規格、ＩＥＥＥ８０２．１１ｇ規格、ＨｉｐｅｒＬａｎ規格、ＨｉｐｅｒＬａｎ II 規格、Ｗｉ−Ｍａｘ規格、ＯｐｅｎＡｉｒ規格、およびＢｌｕｅｔｏｏｔｈ規格から選択されたＷＬＡＮ規格に対応する周波数帯において実施され得る。
【００３８】
ＲＳＭカード２１４は、ＵＥ装置１０２に結合されるように動作可能であり、そこにおいて、多数のネットワークリストは、ネットワークオペレータなどによって用意され得る。ＲＳＭが存在し、ＵＥ装置が最初にオンにされる場合、ＵＥ装置の記憶装置モジュールは、ＲＳＭにおいて格納される任意の情報を用いて更新され得る。従って、一実施形態において、ＲＳＭは、それが加入者に供給される場合、最も現在の周波数情報を用いてプログラムされ得る。ＲＳＭにおけるデータは、例えば、検索またはスキャンのために装置に格納される、周波数のデフォルトリスト、または周波数のラスタに、付加的周波数を追加する。代替的にか、または追加的に、ＲＳＭにおけるデータは、装置に既に格納された周波数データを修正し得、その結果、使用されていないそれらの周波数が取り除かれ得、または、それらが検索計画の一部としてスキャンされない方法においてマークされ得る。以下で検討されるように、適切なデータベース構造は、ＲＳＭにおいて用意され得るか、または、特に、適用可能な周波数データおよびネットワークリストデータを格納するための、ワイヤレス装置のメモリにおいて用意され得る。さらに、リスト管理アプリケーションは、それに提供される地理的領域に基づいた、格納されたデータを修正するように動作可能であるＲＳＭにおいて用意され得る。
【００３９】
ここで図３から図６を参照すると、そこで示されるのは、ネットワークリスト情報が、本開示の教示に従い、ＵＥ装置に選択的にダウンロードされ得るＲＳＭの一部として提供される様々な例示的データベース構造である。図３における参照番号３００は、ＲＡＮベースデータ構造を参照し、そこにおいて、サービス性能、他のＲＡＮへの接続、および、サポートされたＰＬＭＮコアネットワークなどが提供される。データベースおよび第三者（ｔｈｉｒｄ−ｐａｒｔｙ）の商業的な配置の範囲に基づき、データベース構造３００は、相当に多数のＲＡＮに関連するデータエントリを用いて配置され得ることは理解されるべきである。参照番号３０２は、それらのＲＡＮ  ＩＤコードによって識別される一つ以上のＲＡＮを参照する。それぞれのＲＡＮによってサポートされたサービスは、列３０４において識別される。例えば、ＲＡＮ−１は、高速データリンクパケットアクセス（ＨＳＤＰＡ）、ＥＤＧＥなどをサポートするように動作可能である。特定のＲＡＮと他のアクセスネットワークとのクロス関係（ｃｒｏｓｓ−ｒｅｌａｔｉｏｎｓｈｉｐ）または相互運用は、列３０６において示される。示されるように、ＲＡＮ−１は、追加的なＲＡＮ、ＲＡＮ−Ｘ、ＲＡＮ−Ｙ、およびＲＡＮ−Ｚ、ならびにＷＬＡＮ、ＷＬＡＮ−Ａ、およびＷＬＡＮ−Ｃと相互運用する。参照番号３０８は、列３０２において識別されたそれぞれの特定のＲＡＮによってサポートされるコアネットワークを参照する。参照番号３１０は、ＩＰマルチメディアサブシステム（ＩＭＳ）、プレゼンス、セルラを介したプッシュツートーク（ＰｏＣ）などの、それぞれのＣＮによってサポートされる様々なサービスを参照する。
【００４０】
図４は、操作ベース（ｏｐｅｒａｔｅｄ−ｂａｓｅｄ）リスト、ユーザベースリストまたは企業ベースリスト、あるいはそれらの任意の組み合わせとして提供され得、本開示の一局面に従い、ネットワーク選択選好（ｐｒｅｆｅｒｅｎｃｅ）および禁止を容易にするために、ＵＥ装置へダウンロードされ得る。一実施形態において、データベース構造４００は、一つ以上の無線アクセス技術において、好ましいネットワークとして考えられるべき複数のネットワークＩＤを特定する、オペレータ定義のネットワークリストとして構成され、そこにおいて、ネットワークＩＤは、オペレータによって配置される。別の実施形態において、データベース構造４００は、例えば、ワイヤレスＵＥ装置を使用するユーザ毎に一つのリストを用いて、一つ以上のユーザネットワークリストとして構成され得る。それぞれのそのようなリストは、それら自体を装置に識別させる上で、ユーザによってアクセスされ得、そこにおいて、リスト（すなわち、ネットワークＩＤ）のコンテンツは、個々のユーザによって配置される。さらに別の実施形態において、データベース構造４００は、従業員のユーザの利益のために、ワイヤレス装置を所有する企業によって好まれるネットワークＩＤのリストとして構成され得る。
【００４１】
特定の構成に関わらず、データベース構造４００は、例えば、ＥＤＧＥ技術４０２Ａ、ＷＬＡＮ技術４０２Ｂ、およびＵＭＴＳ技術４０２Ｃなどの複数の無線アクセス技術を規定し、多数のＲＡＮ  ＩＤは、それぞれの技術に提供される。図４に示されるように、列４０４Ａは、ＥＤＧＥ技術に対する多数のＲＡＮ  ＩＤを識別し、それぞれのＲＡＮは、対応する列４０６Ａにおいて識別された一つ以上のコアネットワークをサポートする。同様に、列４０４Ｂ／４０６Ｂおよび列４０４Ｃ／４０６Ｃは、個々に、ＷＬＡＮおよびＵＭＴＳ技術に提供される。当業者が理解し得るように、様々なＩＤは、サービスセットＩＤ（ＳＳＩＤ）（ＷＬＡＮのための）、ＳＩＤ（ＩＳ−９５およびＩＳ−１３６のための）、または［ＭＣＣ，ＭＮＣ］の組み合わせ（ＧＳＭのためのであり、そこでは、ＭＮＣがモバイルネットワークコードを識別する）であり得る。
【００４２】
上記で説明されたネットワーク選好リストと同様に、類似したデータベース構造が提供され得、使用が禁止された一つ以上のネットワークを識別する。そのような禁止されたネットワークのリストは、例えば、オペレータ・バー（ｏｐｅｒａｔｏｒ−ｂａｒｒｅｄ）のＲＡＮリスト（つまり、一人のオペレータによって特定される）、企業・バー（ｅｎｔｅｒｐｒｉｓｅ−ｂａｒｒｅｄ）のＲＡＮリスト（つまり、一つの企業によって特定される）、オペレータ・バー（ｏｐｅｒａｔｏｒ−ｂａｒｒｅｄ）のＣＮリスト（つまり、一人のオペレータによって特定される）、企業・バー（ｅｎｔｅｒｐｒｉｓｅ−ｂａｒｒｅｄ）のＣＮリスト（つまり、一つの企業によって特定される）として構成され得る。
【００４３】
ネットワーク選好および禁止を識別するデータベース構造の一つ以上の実施形態および構成に付け加えて、一つ以上のホームネットワークリスト（同等のホームネットワーク、またはＥＨＰＬＭＮを含む）は、ネットワーク選択を容易にするために提供され得る。よく知られるように、広域セル式ＰＬＭＮのそれぞれは、多数のセルとして配置され得、それぞれのセルはセクター（例えば、通常は、基地局（ＢＳ）毎またはセル毎に、三つの１２０度のセクター）を有する。それぞれ個々のセルは、それらを識別するためのＣＧＩパラメータを用いて提供される。セルの一群は、通常、位置領域（ＬＡ）として指定され、ＬＡ識別子（ＬＡＩ）によって識別され得る。マクロレベルにおいて、ＰＬＭＮは、基底のセル式技術に従い、識別され得る。例えば、前に示されたように、ＧＳＭベースのＰＬＭＮは、ＭＣＣおよびＭＮＣの組み合わせからなる識別子によって識別され得る。ＣＤＭＡ／ＴＤＭＡベースのＰＬＭＮは、ＳＩＤパラメータおよび／またはネットワーク識別（ＮＩＤ）パラメータによって識別され得る。セル式インフラストラクチャに関わらず、全てのセルは、マクロレベルのＰＬＭＮ識別子を同報通信し、サービスを得たいワイヤレス装置（例えばＵＥ装置１０２）は、ワイヤレスネットワークを識別することができる。
【００４４】
付け加えて、加入者はまた、独自の識別子が与えられ、独自の識別子は、基底のセル式インフラストラクチャに依存して変化し得、ネットワーク識別子を構成することにおいて使用される一部のパラメータから、少なくとも部分的に、構成され得る。ＧＳＭにおいて、例えば、加入者のＩＭＳＩのパラメータは、［ＭＣＣ］［ＭＮＣ］［ＭＩＮ］として構成され、そこで、［ＭＣＣ］は、加入者がいる国を識別し、ＰＬＭＮネットワークを識別し、および［ＭＩＮ］は、ワイヤレスＵＥ装置を識別する独自のＩＤである。
【００４５】
図５Ａおよび図５Ｂは、例示的なデータベース構造を図示し、データベース構造は、一実施形態に従った、ネットワーク選択を容易にする様々なＥＨＰＬＭＮを特定するためのＲＳＭにおいて提供され得る。参照番号５００Ａは、同様のネットワークとして識別され得る、［ＭＣＣ］５０２Ａおよび［ＭＮＣ］５０２Ｂの組み合わせのリストを含む基本的なデータベース構造である。同等のネットワークの場合において、［ＭＣＣ］［ＭＮＣ］の組み合わせは、加入者に関連するＩＭＳＩのためのＥＨＰＬＭＮのセットを識別し得る。参照番号５０４および５０６および５０８は三つの例示的なネットワークであり、ネットワーク５０４および５０８は同じ［ＭＣＣ］を共有する。つまり、［ＡＢＣ］、ならびにネットワーク５０４および５０８は同じ［ＭＮＣ］（つまり、［ＸＹＺ］）を共有する。
【００４６】
参照番号５００Ｂは、強化型データベース構造であり、追加的な情報が、ネットワーク選択を容易にするために提供され得る。マスター［ＭＣＣ］［ＭＮＣ］列５２０は、ＩＭＳＩの［ＭＣＣ］／［ＭＮＣ］部分（つまり、マスターホームＰＬＭＮ）と合致する、［ＭＣＣ］および「ＭＮＣ］の組み合わせを識別する。ネットワークネーム列５２２は名前によってマスターネットワークを識別する。ホームネットワーク（Ｅ／ＨＰＬＭＮ）列５２４は、それぞれのマスター［ＭＣＣ］［ＭＮＣ］の対のホームネットワークのリストを含む。一実施において、ホームネットワークを識別する［ＭＣＣ］［ＭＮＣ］の組み合わせは、優先順位において提供され得る。例えば、位置的な優先が実施され得、そこでは、上部の［ＭＣＣ］［ＭＮＣ］の組み合わせは、それより下のものよりもより高い優先順位を有し、または、左の［ＭＣＣ］［ＭＮＣ］の組み合わせは、それより右のものよりもより高い優先順位を有する。明示的な優先順位ランク付けはまた提供され得、ＰＬＭＮの優先順位を示すインジケータは、データベース構造５００Ｂに付加される。例えば、［０］の値は、最も高い優先順位を示し得る。優先順位のインジケータが格納されていない場合、全てのＰＬＭＮは等しい優先順位を有する。特徴（ｉｎｄｉｃｉｕｍ）列５２５は、ホームネットワークリスト５２４においてリストされたそれぞれのＰＬＭＮを独自に識別するために提供され、そこで、その特徴は、マスター［ＭＣＣ］［ＭＮＣ］の対に対する一部の参照を含み得る独自の識別名、または、それに関連するネットワーク名を含み得る。
【００４７】
図６は、ＲＳＭの一部として用意され得る例示的なデータベース構造６００を図示し、そこで、参照番号６０２は、ワイヤレスＵＥ装置および／または加入者のために規定された、一つ以上のホームネットワーク（同等のホームネットワークを含む）に対する直接のビジター関係（ｖｉｓｉｔｏｒ  ｒｅｌａｔｉｏｎｓｈｉｐ）を有するネットワークの列である。つまり、列６０２において識別されたネットワークは、ビジテッド（ｖｉｓｉｔｅｄ）ネットワークであり、ホームネットワークにローミングサービスを提供する。図示されるように、これらのビジテッドネットワークは、アクセスネットワーク（例えば、［ＭＣＣｂ．ＭＡＮＣｃ］および［ＭＣＣｄ．ＭＡＮＣａ］として識別されるアクセスネットワーク）、および、ＣＮおよびＳＮを含み得るネットワークの組み合わせを含み得る。列６０４は、列６０２において識別されたビジテッドコアネットワークに関連を有するアクセスネットワークを識別する。列６０６は、識別された無線／コアネットワークの組み合わせが動作中であることを知らされているかどうかを示すことに関連する状態情報を提供する。例えば、「オン」または「オフ」などのサービス状態フラグは、特定のネットワークの組み合わせ（例えば、ＲＡＮ／ＣＮの組み合わせ）がサービス中であるかないかを示すために提供され得る。付け加えて、ＲＢデータベース構造の列６０８は、列６０２において識別されるビジテッドネットワークにおいてサポートされるサービスおよび性能を提供する。
【００４８】
ネットワーク選好およびバーリスト、周波数範囲、サービス性能、クロス関係などを含む上記されたネットワークリストは代表的なものであり、または、３ＧＰＰ  ＴＳ  ３１．１０２ドキュメンテーションにおいて特定されたネットワークリストの少なくとも一部において代表的である様々な方法において組み合わされ得る。本開示のバックグラウンドセクションにおいて説明したように、そのような情報をワイヤレスＵＥ装置にダウンロードすることは、現行の機器の多様性、オプションの設備、および、絶え間なく変わるワイヤレス通信産業の分野（ｌａｎｄｓｃａｐｅ）の観点において特に、調和され、カスタマイズされ、および標準化される必要がある。
【００４９】
従って、本開示は、初期スキャンまたはバックグラウンドスキャンのいずれかにおけるスキャニングを介し、ＵＥ装置による少なくとも一つのネットワークの発見に基づいた、ＲＳＭのネットワークリスト情報のカスタマイズ可能なダウンロードを提供する。一実施形態において、ＲＳＭにおいて用意されたネットワークリスト情報は、インデックスを付けられ得るか、さもなければ、適切な地理的領域コードに関連され得、その結果、リストデータは、スキャニングを介して発見された地理的領域情報および／またはネットワーク識別情報に基づいてフィルタリングされ得る。図７は、ＲＳＭからのネットワークリスト情報のダウンロードをカスタマイズするためのＵＥ装置によって利用され得る、例示的なデータベース構造７００を表す。例示的には、データ構造７００は、様々な地理的エンティティ７５０（すなわち、個々の国、および北アメリカ、欧州連合などの超国家的な地理的領域）と、それに関連する地理的領域コード７５２との間のマッピング関係を含む。目下の好ましい例示的な配置において、領域／国家が割り当てられた多数の国コードを有するところでは、それらの全ては、単一の地理的エンティティに関連されるか、さもなければ、単一の地理的エンティティにマッピングされる方法において、それらは格納され、単一の地理的エンティティは、通常は、共通のモバイル通信調節レジームのもとで操作される。当業者によって理解されるべきことは、この配置によって、ワイヤレスＵＥ装置は、スキャニングを介して発見されたＰＬＭＮの国コードを調べる場合に、それがどの国であるのかを決定することができる。例として、３１０〜３１６の７つの［ＭＣＣ］値が存在し、北アメリカ７５４に割り当てられる。別の例示的なエンティティである、単一の国ＡＢＣＤ７５６は、例えば、１２３〜１２５の多数の［ＭＣＣ］値を提供され得る。別の例において、地理的エンティティＥＦＧＨ７５８は、一つの［ＭＣＣ］（例えば５１０）のみが割り当てられる。以前に言及したように、データ構造７００は、ワイヤレスＵＥ装置に統合される記憶装置モジュールの一部として提供され得る。
【００５０】
図８は、それに対して結合されるワイヤレスＵＥ装置によって使用されるＲＳＭからのネットワークリスト情報のダウンロードを管理およびカスタマイズするための、本開示の一実施形態に関連するフローチャートである。一つ以上の周波数範囲および／または一つ以上の無線アクセス技術において、ＵＥ装置によってスキャンした後（ブロック８０２）、少なくとも一つのネットワークが、その装置が配置されている地理的領域に対して発見されるかどうかの決定がなされる（ブロック８０４）。ネットワークが発見されない場合、そのプロセスフローは終了する（ブロック８０８）。一方で、ネットワークが発見された場合、適切な地理的領域情報は、その発見されたネットワークの識別情報（例えば、［ＭＣＣ］［ＭＮＣ］の組み合わせ）に基づいて決定される。その発見されたネットワークの地理的領域情報に依存して、地理的領域および／または発見されたネットワークに関連するそれらのネットワークリストデータエンティティのみが、ＲＳＭからダウンロードされる（ブロック８０６）。前述において指摘したように、一つの領域に対して多数の地理的領域コードが存在し得（例えば北アメリカなど）、装置ロジックは、追加的な地理的コードの任意または全てに関連するネットワークリスト情報をダウンロードするために選択し得る。従って、追加的な地理的コードが、その装置が配置された領域に対して利用可能であるかどうかの決定が、ＵＥ装置における適切なロジックによってなされる（ブロック８１０）。そうである場合、ＲＳＭからのネットワークリスト情報のダウンロードは、従って変更される。いったんダウンロードが完了すると、ＵＥ装置は、一つ以上のネットワーク選択手順を続ける。さらに、ＲＳＭからダウンロードされた情報は、ＵＥの動きをさらに変更するのを助け得、そこにおいて、ネットワーク広告ブローカおよび／またはローミングブローカなどのネットワークエンティティとの相互作用が保証される。そのような手順に関する詳細は、以下の共有に係る、同時係属の米国特許出願、（ｉ）２００５年４月２８日に出願され、出願番号第１１／１１６，４６１号、「ＮＥＴＷＯＲＫ  ＳＥＬＥＣＴＩＯＮ  ＳＣＨＥＭＥ  ＵＳＩＮＧ  Ａ  ＲＯＡＭＩＮＧ  ＢＲＯＫＥＲ  （ＲＢ）」、（ｉｉ）２００５年４月２８日に出願され、出願番号第１１／１１６，４７０号、「ＳＹＳＴＥＭ  ＡＮＤ  ＭＥＴＨＯＤ  ＦＯＲ  ＰＲＯＶＩＤＩＮＧ  ＮＥＴＷＯＲＫ  ＡＤＶＥＲＴＩＳＥＭＥＮＴ  ＩＮＦＯＲＭＡＴＩＯＮ  ＶＩＡ  Ａ  ＮＥＴＷＯＲＫ  ＡＤＶＥＲＴＩＳＥＭＥＮＴ  ＢＲＯＫＥＲ（ＮＡＢ）」において見出され得、それぞれが上にて参照されている。
【００５１】
図９は、それに対して結合されるワイヤレスＵＥ装置によって使用されるＲＳＭからのネットワークリスト情報のダウンロードを管理およびカスタマイズするための、本開示の別の実施形態に関連するフローチャートである。このオプションにおいて、ＲＳＭに規定される新しいリストは、全てのエントリを含み、エントリは、例えば、ネットワークオペレータ、ユーザ、または企業によってサポートされた全てのエントリを配置することを望む（ブロック９０２）。リスト管理アプリケーションは、ＲＳＭ上に用意され（ブロック９０４）、その結果、スキャンはＵＥ装置によって実行され、ネットワークは見出され、ＲＳＭに提供され（ブロック９０６）、リスト管理アプリケーションは、ＵＥ装置によって発見された地理的領域情報に依存したネットワークリストのコンテンツを修正する。従って、関連するネットワーク情報のみが、その装置が位置する場所に依存して、ＵＥ装置による使用のために保持される（ブロック９０８）。
【００５２】
図１０は、本特許出願開示の教示に従い、ＲＳＭからネットワークリスト情報のダウンロードをカスタマイズするように動作可能であるワイヤレス装置またはＵＥ装置の一実施形態のブロック図を示す。この点に関して当業者は、ＵＥ１０２の一実施形態が図１０に示されたものと類似した配置を含み得るが、記載された様々なモジュールに関して、ハードウェア、ソフトウェア、またはファームウェアにおける多数の変更および修正が存在し得ることは理解されたい。従って、図１０の配置は、本特許出願開示の実施形態に関して、限定するのではなく、例示のためとして考えられるべきである。ＵＥ１０００全体の制御を提供するマイクロプロセッサ１００２は、通信サブシステム１００４と動作するように結合され、通信サブシステム１００４は、複数の帯域を介して、マルチモード通信を実施する、送信器／受信器（送受信器）機能を含む。例えば、広域ワイヤレスＴｘ／Ｒｘモジュール１００６およびワイヤレスＡＮ  Ｔｘ／Ｒｘモジュール１００８が例示される。特に図示されてはいないが、それぞれのＴｘ／Ｒｘモジュールは、一つ以上のローカル発振器（ＬＯ）モジュール、ＲＦスイッチ、ＲＦ帯域通過フィルタ、Ａ／ＤおよびＤ／Ａコンバータ、デジタル信号プロセッサ（ＤＳＰ）などの処理モジュール、ローカルメモリなどの、他の関連する構成要素を含み得る。通信領域における当業者に明らかであるように、通信サブシステム１００４の特定の設計は、ＵＥ装置が動作することが意図されているネットワーク通信に依存し得る。一実施形態において、通信サブシステム１００４は、音声およびデータ通信両方を用いて動作可能である。
【００５３】
マイクロプロセッサ１００２はまた、補助入力／出力（Ｉ／Ｏ）１０１８、シリアルポート１０２０、ディスプレイ１０２２、キーボード１０２４、スピーカ１０２６、マイクロフォン１０２８、ランダムアクセスメモリ（ＲＡＭ）１０３０、短距離通信サブシステム１０３２、および、参照番号１０３３として包括的にラベルされる任意の他の装置サブシステムなどの、さらなる装置サブシステムを相互接続する。アクセスを制御するために、ＲＳＭ（ＳＩＭ／ＲＵＩＭ／ＵＳＩＭ）インターフェース１０３４がまた、マイクロプロセッサ１００２と通信して提供される。一実施形態において、ＲＳＭインターフェース１０３４は、識別および加入者関連データ、ならびに、一つ以上のＳＳＩＤ／ＰＬＭＮリストおよび、上で詳細に記載されたフィルタなどに関連する、多数のキー構成１０４４および他の情報１０４６を有するＲＳＭカードを用いて動作可能である。
【００５４】
オペレーティングシステムソフトウェアおよび他の制御ソフトウェアは、フラッシュメモリ１０３５などの、持続性記憶装置モジュール（不揮発性記憶装置）において実施され得る。一実施において、フラッシュメモリ１０３５は、異なる領域、例えば、コンピュータプログラム１０３６のための領域、および、装置状態１０３７などのデータ格納領域、アドレスブック１０３９、他の個人情報管理（ＰＩＭ）データ１０４１、および参照番号１０４３として一般にラベルされる他のデータ格納領域などの、異なる領域に分離され得る。付け加えて、適切なネットワーク発見／選択ロジック１０４０は、先行するセクションにおいて説明された様々なネットワークスキャンおよび選択手順を実行する持続性記憶装置の一部として提供され得る。ＲＳＭ（図示されず）からネットワークリスト情報のダウンロードを管理およびカスタマイズするためのロジックはまた、ロジックモジュール１０４５として例示される。それに関連するのは、ＳＳＩＤ／ＰＬＭＮリスト、選択／スキャンフィルタ、性能インジケータなどを格納する記憶装置モジュール１０３８であり、上にて詳細に記載された。
【００５５】
ここで説明された教示を検討して、ＵＥ装置１０００の様々なロジックブロックは、少なくとも以下の、スキャニングを介して少なくとも一つのネットワークの発見を実施するように動作可能であるロジック構造、発見されたネットワークのＩＤ情報に基づいて地理的領域情報を決定するためのロジック構造、および、ＲＳＭから地理的領域情報に関連するそれらのネットワークリストデータエントリのみをフィルタリングするためのロジック構造を含むものとして理解されるべきであり、そのネットワークリストデータエントリは、ワイヤレスＵＥ装置によってネットワーク選択を容易にするように動作可能である。
【００５６】
本特許出願の実施形態の動作および構成は、上記で説明された詳細な説明から明らかである。図示され詳述された例示的な実施形態は好もしいものとして特徴付けられる一方で、様々な変更および修正が、本請求項において説明される本発明の範囲から逸脱することなく、そこにおいてなされ得ることは容易に理解されるべきである。
【図面の簡単な説明】
【００５７】
【図１】一般化されたネットワーク環境を示し、本開示の一実施形態が実施され得る。
【図２】ネットワーク環境の例示的な実施形態を表し、ワイヤレスユーザ装備（ＵＥ）装置は、本開示の教示に従い、ネットワークリスト情報をダウンロードするために動作可能なように配置される。
【図３】着脱可能な記憶装置モジュール（ＲＳＭ）の一部として提供される様々な例示的なデータベース構造を表し、本開示の教示に従い、ネットワークリスト情報がＵＥ装置に選択的にダウンロードされ得る。
【図４】着脱可能な記憶装置モジュール（ＲＳＭ）の一部として提供される様々な例示的なデータベース構造を表し、本開示の教示に従い、ネットワークリスト情報がＵＥ装置に選択的にダウンロードされ得る。
【図５Ａ】着脱可能な記憶装置モジュール（ＲＳＭ）の一部として提供される様々な例示的なデータベース構造を表し、本開示の教示に従い、ネットワークリスト情報がＵＥ装置に選択的にダウンロードされ得る。
【図５Ｂ】着脱可能な記憶装置モジュール（ＲＳＭ）の一部として提供される様々な例示的なデータベース構造を表し、本開示の教示に従い、ネットワークリスト情報がＵＥ装置に選択的にダウンロードされ得る。
【図６】着脱可能な記憶装置モジュール（ＲＳＭ）の一部として提供される様々な例示的なデータベース構造を表し、本開示の教示に従い、ネットワークリスト情報がＵＥ装置に選択的にダウンロードされ得る。
【図７】ＲＳＭからネットワークリスト情報のダウンロードをカスタマイズするためのＵＥ装置によって利用され得る例示的なデータベース構造を表す。
【図８】本開示の一実施形態に関連するフローチャートである。
【図９】本開示の一実施形態に関連するフローチャートである。
【図１０】本開示の教示に従い、ＲＳＭからネットワークリスト情報のダウンロードをカスタマイズするように動作可能であるワイヤレス装置の一実施形態のブロック図を表す。
【符号の説明】
【００５８】
１０２、１０００  ワイヤレス装置
２１４  着脱可能な記憶装置モジュール（ＲＳＭ）
３００、４００、５００、６００  データベース構造
１０３８、１０４０、１０４５  ロジック構造
【図１】
2007013987.tif 000003
【図２】
2007013987.tif 000004
【図３】
2007013987.tif 000005
【図４】
2007013987.tif 000006
【図５Ａ】
2007013987.tif 000007
【図５Ｂ】
2007013987.tif 000008
【図６】
2007013987.tif 000009
【図７】
2007013987.tif 000010
【図８】
2007013987.tif 000011
【図９】
2007013987.tif 000012
【図１０】
2007013987.tif 000013